(57)【要約】  データ放送に適応した広告方法及びシステムが開示される。本発明の実施形態による広告方法は、データ放送をダウンロードしようとするＶＯＤ端末機から、放送要請信号を受信する段階と、データ放送の内容と関連した商品についての情報を含む広告放送をダウンロードしようとする移動通信端末機から、広告要請信号を受信する段階と、ＶＯＤ端末機に、データ放送が再生される時に、データ放送画面に対応する広告放送画面が、移動通信端末機にディスプレイされるように、データ放送及び広告放送を同期させる段階と、データ放送をＶＯＤ端末機に伝送する段階と、広告放送を移動通信端末機に伝送する段階と、を備える。本発明によるデータ放送に適応した広告方法及びシステムは、データ放送を通じて提供される商品についての情報を移動通信端末機のユーザ（消費者）が容易に獲得することができて、広告効果を高めうる。【選択図】図２
2011530853.tif 000002
【特許請求の範囲】
【請求項１】
データ放送をダウンロードしようとするビデオ・オン・デマンド（ＶＯＤ）端末機から、放送要請信号を受信する段階と、
前記データ放送の内容と関連した商品についての情報を含む広告放送をダウンロードしようとする移動通信端末機から、広告要請信号を受信する段階と、
前記ＶＯＤ端末機に、前記データ放送が再生される時に、データ放送画面に対応する広告放送画面が、前記移動通信端末機にディスプレイされるように、前記データ放送及び前記広告放送を同期させる段階と、
前記データ放送を前記ＶＯＤ端末機に伝送する段階と、
前記広告放送を前記移動通信端末機に伝送する段階と、
を備えるデータ放送に適応した広告方法。
【請求項２】
前記広告要請信号は、複数個の移動通信端末機から受信される請求項１に記載のデータ放送に適応した広告方法。
【請求項３】
前記広告放送は、前記データ放送の内容と関連したコンテンツ情報をさらに含む請求項１に記載のデータ放送に適応した広告方法。
【請求項４】
前記広告要請信号を受信する前に、前記ＶＯＤ端末機のＩＰアドレス、前記ＶＯＤ端末機が位置する地理的アドレス及び前記移動通信端末機の番号を保存する段階と、
前記ＶＯＤ端末機のＩＰアドレスまたは地理的アドレスと前記移動通信端末機の番号とをマッチングさせ、前記ＶＯＤ端末機と前記移動通信端末機との連関情報をデータベース化する段階と、
をさらに備える請求項１に記載のデータ放送に適応した広告方法。
【請求項５】
前記広告放送は、前記ＶＯＤ端末機が位置する地理的アドレスに対応する地域広告である請求項４に記載のデータ放送に適応した広告方法。
【請求項６】
前記移動通信端末機から前記広告放送画面にディスプレイされる商品についての第１購買要請信号及び決済情報を受信する段階と、
前記決済情報を用いて、前記第１購買要請信号に対応する商品の代金を決済する段階と、をさらに備える請求項１に記載のデータ放送に適応した広告方法。
【請求項７】
前記移動通信端末機から前記広告放送画面にディスプレイされる商品についての臨時保存要請信号を受信し、前記商品についての商品情報を保存する段階と、
前記移動通信端末機から前記保存された商品情報に含まれた商品全体または一部の商品についての第２購買要請信号及び決済情報を受信し、前記決済情報を用いて、前記第２購買要請信号に対応する商品の代金を決済する段階と、
をさらに備える請求項１に記載のデータ放送に適応した広告方法。
【請求項８】
前記広告放送に含まれるあらゆる商品についての商品情報をリスト化する段階と、
前記商品情報のリストを前記移動通信端末機に提供する段階と、
前記移動通信端末機から前記リストに含まれた商品全体または一部の商品についての第３購買要請信号及び決済情報を受信し、前記決済情報を用いて、前記第３購買要請信号に対応する商品の代金を決済する段階と、
をさらに備える請求項１に記載のデータ放送に適応した広告方法。
【請求項９】
前記広告放送を前記移動通信端末機に伝送する段階以後に、
前記移動通信端末機のユーザの関心商品群についての情報を保存する段階と、
前記広告放送のうち、前記関心商品群に該当する内容をフィルタリングして、サブ広告放送を生成する段階と、
前記サブ広告放送と前記データ放送とを同期させる段階と、
前記サブ広告放送を前記移動通信端末機に伝送する段階と、
をさらに備える請求項１に記載のデータ放送に適応した広告方法。
【請求項１０】
前記関心商品群についての情報を保存する段階は、一つの移動通信端末機のユーザに対して、複数個の関心商品群についての情報を保存する請求項９に記載のデータ放送に適応した広告方法。
【請求項１１】
前記放送要請信号を受信する前に、前記データ放送を保存する段階と、
前記データ放送に対応して予め製作された広告放送を保存する段階と、
をさらに備える請求項１に記載のデータ放送に適応した広告方法。
【請求項１２】
それぞれ、データ放送及び広告放送を保存するデータ放送保存部及び広告放送保存部と、
ＶＯＤ端末機から放送要請信号を受信し、移動通信端末機から広告要請信号を受信して、対応するデータ放送を前記ＶＯＤ端末機に伝送し、対応する広告放送を前記移動通信端末機に伝送する送受信部と、
前記放送要請信号に対応するデータ放送を前記データ放送保存部で検索し、前記広告要請信号に対応する広告放送を前記広告放送保存部で検索し、前記ＶＯＤ端末機に、前記データ放送が再生される時に、前記データ放送画面に対応する広告放送画面が、前記移動通信端末機にディスプレイされるように、前記データ放送及び前記広告放送を同期させる制御部と、を備えるデータ放送に適応した広告システム。
【請求項１３】
前記ＶＯＤ端末機のＩＰアドレス、前記ＶＯＤ端末機が位置する地理的アドレス及び前記移動通信端末機の番号を保存し、前記ＶＯＤ端末機のＩＰアドレスまたは地理的アドレスと前記移動通信端末機の番号とをマッチングさせた、前記ＶＯＤ端末機と前記移動通信端末機との連関情報を保存するユーザ情報保存部をさらに備える請求項１２に記載のデータ放送に適応した広告システム。
【請求項１４】
前記送受信部が、前記移動通信端末機から前記広告放送画面にディスプレイされる商品についての第１購買要請信号及び決済情報を受信したときに、前記決済情報を用いて、前記第１購買要請信号に対応する商品の代金を決済する決済部をさらに備える請求項１２に記載のデータ放送に適応した広告システム。
【請求項１５】
前記送受信部が、前記移動通信端末機から前記広告放送画面にディスプレイされる商品についての臨時保存要請信号を受信したときに、前記商品についての商品情報を保存する商品情報保存部と、
前記送受信部が、前記移動通信端末機から前記保存された商品情報に含まれた商品全体または一部の商品についての第２購買要請信号及び決済情報を受信したときに、前記決済情報を用いて、前記第２購買要請信号に対応する商品の代金を決済する決済部と、
をさらに備える請求項１２に記載のデータ放送に適応した広告システム。
【請求項１６】
前記広告放送に含まれるあらゆる商品についての商品情報のリストを保存する商品情報保存部と、
前記送受信部が、前記移動通信端末機から前記リストに含まれた商品全体または一部の商品についての第３購買要請信号及び決済情報を受信したときに、前記決済情報を用いて、前記第３購買要請信号に対応する商品の代金を決済する決済部と、
をさらに備える請求項１２に記載のデータ放送に適応した広告システム。
【請求項１７】
前記移動通信端末機のユーザの関心商品群についての情報を保存する関心商品群保存部をさらに備え、
前記制御部は、前記広告放送のうち、前記関心商品群に該当する内容をフィルタリングして、サブ広告放送を生成し、前記サブ広告放送と前記データ放送とを同期させ、前記送受信部を通じて前記サブ広告放送を前記移動通信端末機に伝送する請求項１２に記載のデータ放送に適応した広告システム。
【発明の詳細な説明】
【技術分野】
【０００１】
本発明は、広告方法及びシステムに係り、特に、ビデオ・オン・デマンド（ＶＯＤ）端末機で再生されるデータ放送に対応して同期する広告放送を、ＶＯＤ端末機に対応する移動通信端末機に提供することによって、広告効果及び顧客の商品購買便宜性を最大化することができるデータ放送に適応した広告放送及びシステムに関する。
【背景技術】
【０００２】
最近、放送で紹介された製品及び場所などに対する関心が高い。このような情報は、当該放送の関連商品に対する購買に多大な影響を与えている。したがって、放送で提供する情報を消費者の購買と連結させて広告効果及び購買便宜性を最大化することができる広告方法及びシステムが要求される。
【発明の概要】
【発明が解決しようとする課題】
【０００３】
本発明が解決しようとする技術的課題は、放送を通じて提供される情報を消費者の購買と連結させることができる広告方法及びシステムを提供することにある。
【課題を解決するための手段】
【０００４】
前記技術的課題を解決するための本発明の実施形態による広告方法は、データ放送をダウンロードしようとするビデオ・オン・デマンド（ＶＯＤ）端末機から、放送要請信号を受信する段階と、前記データ放送の内容と関連した商品についての情報を含む広告放送をダウンロードしようとする移動通信端末機から、広告要請信号を受信する段階と、前記ＶＯＤ端末機に、前記データ放送が再生される時に、データ放送画面に対応する広告放送画面が、前記移動通信端末機にディスプレイされるように、前記データ放送及び前記広告放送を同期させる段階と、前記データ放送を前記ＶＯＤ端末機に伝送する段階と、前記広告放送を前記移動通信端末機に伝送する段階と、を備える。
【０００５】
望ましくは、前記広告要請信号は、複数個の移動通信端末機から受信されうる。
【０００６】
望ましくは、前記広告放送は、前記データ放送の内容と関連したコンテンツ情報をさらに含みうる。
【０００７】
望ましくは、前記広告要請信号を受信する前に、前記ＶＯＤ端末機のＩＰアドレス、前記ＶＯＤ端末機が位置する地理的アドレス及び前記移動通信端末機の番号を保存する段階と、前記ＶＯＤ端末機のＩＰアドレスまたは地理的アドレスと前記移動通信端末機の番号とをマッチングさせ、前記ＶＯＤ端末機と前記移動通信端末機との連関情報をデータベース化する段階と、がさらに備えられうる。この際、前記広告放送は、前記ＶＯＤ端末機が位置する地理的アドレスに対応する地域広告であり得る。
【０００８】
望ましくは、前記移動通信端末機から前記広告放送画面にディスプレイされる商品についての第１購買要請信号及び決済情報を受信する段階と、前記決済情報を用いて、前記第１購買要請信号に対応する商品の代金を決済する段階と、がさらに備えられうる。または、前記移動通信端末機から前記広告放送画面にディスプレイされる商品についての臨時保存要請信号を受信し、前記商品についての商品情報を保存する段階と、前記移動通信端末機から前記保存された商品情報に含まれた商品全体または一部の商品についての第２購買要請信号及び決済情報を受信し、前記決済情報を用いて、前記第２購買要請信号に対応する商品の代金を決済する段階と、がさらに備えられうる。
【０００９】
望ましくは、前記広告放送に含まれるあらゆる商品についての商品情報をリスト化する段階と、前記商品情報のリストを前記移動通信端末機に提供する段階と、前記移動通信端末機から前記リストに含まれた商品全体または一部の商品についての第３購買要請信号及び決済情報を受信し、前記決済情報を用いて、前記第３購買要請信号に対応する商品の代金を決済する段階と、がさらに備えられうる。
【００１０】
望ましくは、前記広告放送を前記移動通信端末機に伝送する段階以後に、前記移動通信端末機のユーザの関心商品群についての情報を保存する段階と、前記広告放送のうち、前記関心商品群に該当する内容をフィルタリングして、サブ広告放送を生成する段階と、前記サブ広告放送と前記データ放送とを同期させる段階と、前記サブ広告放送を前記移動通信端末機に伝送する段階と、がさらに備えられうる。この際、一つの移動通信端末機のユーザに対して、複数個の関心商品群についての情報が保存することができる。
【００１１】
望ましくは、前記放送要請信号を受信する前に、前記データ放送を保存する段階と、前記データ放送に対応して予め製作された広告放送を保存する段階と、をさらに備えることができる。
【００１２】
前記技術的課題を解決ための本発明の実施形態による広告システムは、それぞれ、データ放送及び広告放送を保存するデータ放送保存部及び広告放送保存部と、ＶＯＤ端末機から放送要請信号を受信し、移動通信端末機から広告要請信号を受信して、対応するデータ放送を前記ＶＯＤ端末機に伝送し、対応する広告放送を前記移動通信端末機に伝送する送受信部と、前記放送要請信号に対応するデータ放送を前記データ放送保存部で検索し、前記広告要請信号に対応する広告放送を前記広告放送保存部で検索し、前記ＶＯＤ端末機に、前記データ放送が再生される時に、前記データ放送画面に対応する広告放送画面が、前記移動通信端末機にディスプレイされるように、前記データ放送及び前記広告放送を同期させる制御部と、を備えることができる。
【００１３】
望ましくは、前記ＶＯＤ端末機のＩＰアドレス、前記ＶＯＤ端末機が位置する地理的アドレス及び前記移動通信端末機の番号を保存し、前記ＶＯＤ端末機のＩＰアドレスまたは地理的アドレスと前記移動通信端末機の番号とをマッチングさせた、前記ＶＯＤ端末機と前記移動通信端末機との連関情報を保存するユーザ情報保存部がさらに備えられうる。
【００１４】
望ましくは、前記送受信部が、前記移動通信端末機から前記広告放送画面にディスプレイされる商品についての第１購買要請信号及び決済情報を受信したときに、前記決済情報を用いて、前記第１購買要請信号に対応する商品の代金を決済する決済部がさらに備えられうる。
【００１５】
望ましくは、前記送受信部が、前記移動通信端末機から前記広告放送画面にディスプレイされる商品についての臨時保存要請信号を受信したときに、前記商品についての商品情報を保存する商品情報保存部と、前記送受信部が、前記移動通信端末機から前記保存された商品情報に含まれた商品全体または一部の商品についての第２購買要請信号及び決済情報を受信したときに、前記決済情報を用いて、前記第２購買要請信号に対応する商品の代金を決済する決済部と、がさらに備えられうる。
【００１６】
望ましくは、前記広告放送に含まれるあらゆる商品についての商品情報のリストを保存する商品情報保存部と、前記送受信部が、前記移動通信端末機から前記リストに含まれた商品全体または一部の商品についての第３購買要請信号及び決済情報を受信したときに、前記決済情報を用いて、前記第３購買要請信号に対応する商品の代金を決済する決済部と、がさらに備えられうる。
【００１７】
望ましくは、前記移動通信端末機のユーザの関心商品群についての情報を保存する関心商品群保存部をさらに備えられうる。この際、前記制御部は、前記広告放送のうち、前記関心商品群に該当する内容をフィルタリングして、サブ広告放送を生成し、前記サブ広告放送と前記データ放送とを同期させ、前記送受信部を通じて前記サブ広告放送を前記移動通信端末機に伝送することができる。
【発明の効果】
【００１８】
本発明によるデータ放送に適応した広告方法及びシステムは、データ放送を通じて提供される商品についての情報を移動通信端末機のユーザ（消費者）が容易に獲得することができて、広告効果を高めうる。また、ＶＯＤ端末機ではないＶＯＤ端末機と連関する移動通信端末機に広告放送を伝送することによって、広告が挿入されることによって放送内容が断絶されるか、放送画面の一部を広告が占有することを防止して、データ放送視聴の妨害が発生しない。
【００１９】
さらに、多様な決済の便宜を提供し、消費者が興味のある分野の商品に対する広告を集中的に露出させることによって、広告効果を極大化させ、かつ消費者に便利なショッピングを提供することができる。
【図面の簡単な説明】
【００２０】
本発明の詳細な説明で引用される図面をより十分に理解するために、各図面の簡単な説明が提供される。
【図１】本発明の実施形態による広告システムを示すブロック図である。
【図２】本発明の実施形態による広告方法を示す図である。
【発明を実施するための形態】
【００２１】
本発明と本発明の動作上の利点及び本発明の実施によって達成される目的を十分に理解するためには、本発明の望ましい実施形態を例示する添付図面及び図面に記載の内容を参照しなければならない。
【００２２】
以下、添付図面を参照して、本発明の望ましい実施形態を説明することによって、本発明を詳しく説明する。各図面に付された同じ参照符号は、同じ部材を表わす。
【００２３】
図１は、本発明の実施形態による広告システムを示すブロック図であり、図２は、本発明の実施形態による広告方法を示す図である。本発明の実施形態による広告方法２００は、図１のサーバ１００を通じて行われる。以下で、データ放送とは、視聴者の必要時に視聴者の要請によって視聴者に伝送される放送を言う。また、広告放送とは、データ放送の内容と関連した商品についての情報を含む放送を言う。
【００２４】
この際、広告放送で広告する商品には、単純に物品に限定されず、データ放送の背景音楽に対する音源、及び旅行のようなサービス商品なども含まれうる。
【００２５】
図１及び図２を参照すると、サーバ１００は、データ放送に適応した広告放送を提供するために、まず、必要な情報及び放送を保存する（ステップＳ２２０）。サーバ１００は、それぞれ、データ放送及び広告放送を保存するデータ放送保存部１６４及び広告放送保存部１６６を備えることができる。この際、広告放送は、データ放送に含まれる商品に対して、事前に製作されて広告放送保存部１６６に保存することができる。
【００２６】
ＶＯＤ端末機ＶＴ及び移動通信端末機ＭＴｉ（ここで、ＭＴｉは、図１のＭＴ１、ＭＴ２及びＭＴ３のうち少なくとも一つ以上の移動通信端末機を表わす）についての端末機情報が、ユーザ情報保存部１６２に保存される（ステップＳ２２２）。特に、ＶＯＤ端末機ＶＴは、ＩＰＴＶサービスを通じてデータ放送をディスプレイするテレビジョンであり得る。
【００２７】
端末機情報は、ＶＯＤ端末機ＶＴのＩＰアドレス、ＶＯＤ端末機ＶＴが位置する地理的アドレス及び移動通信端末機ＭＴｉの番号であり得る。この際、ＶＯＤ端末機ＶＴのＩＰアドレスまたは地理的アドレスと移動通信端末機ＭＴｉの番号との関係である、ＶＯＤ端末機ＶＴと移動通信端末機ＭＴｉとの連関情報を、ユーザ情報保存部１６２に保存することができる（ステップＳ２２４）。
【００２８】
このように、ＶＯＤ端末機と移動通信端末機とをマッチングさせることによって、ＶＯＤ端末機で再生されるデータ放送と対応する広告放送を移動通信端末機に伝送することができる。
【００２９】
この際、図１に示されたように、一つのＶＯＤ端末機ＶＴに対応する移動通信端末機ＭＴｉは、複数個であり得る。例えば、Ａ家族のＩＰＴＶのＩＰアドレスまたは地理的アドレス（例えば、ＩＰＴＶが位置する家の住所）に対応する移動通信端末機としてＡ家族の各構成員（例えば、父親、母親及び子女）の移動通信端末機に登録することができる。
【００３０】
また、前記のような連関情報を用いて、ＶＯＤ端末機の地理的位置に対応する移動通信端末機に当該地域の地域広告放送を伝送することができる（ステップＳ２４７）。例えば、ＶＯＤ端末機ＶＴの地理的アドレスが、“ソウル”に位置するＸアパートＹ棟Ｚ号であれば、“ソウル”地域に関連した地域広告情報（例えば、データ放送で紹介された食器セットに対するソウル所在のデパートのセールの広告）をＶＯＤ端末機ＶＴとユーザ情報保存部１６２によって対応する移動通信端末機ＭＴｉとに伝送することができる。この際、地域広告放送は、広告放送と別途に製作されるか、広告放送のうち、当該地域に対する内容をフィルタリングして製作することができる。
【００３１】
次いで、図１及び図２を参照すると、サーバ１００は、各端末機の要請によって放送を各端末機に伝送する（ステップＳ２４０）。具体的に、送受信部１２０は、ＶＯＤ端末機ＶＴから放送要請信号を受信し（ステップＳ２４１）、移動通信端末機ＭＴｉから広告要請信号を受信して（ステップＳ２４２）、制御部１４０に伝送する。たとえ、図２に、放送要請信号が、広告要請信号に優先して受信されると示されているとしても、これに限定されるものではなく、放送要請信号より広告要請信号が先に受信されるか、二つの信号が同時に受信されうる。
【００３２】
望ましくは、ＶＯＤ端末機ＶＴは、インターネットを通じて放送要請信号をサーバ１００に伝送し、移動通信端末機ＭＴｉは、移動通信網を通じて広告要請信号を伝送することができる。
【００３３】
放送要請信号及び広告要請信号を受信したサーバ１００の制御部１４０は、各信号を伝送したＶＯＤ端末機ＶＴと移動通信端末機ＭＴｉとの連関情報をユーザ情報保存部１６２で確認することができる（ステップＳ２４３）。両者の連関情報が確認されれば、伝送しようとするデータ放送と広告放送とを同期させる（ステップＳ２４４）。リアルタイムで、ＶＯＤ端末機で再生されるデータ放送の画面と対応する広告放送の画面が移動通信端末機にディスプレイされるためには、このような同期化作業が必須的である。
【００３４】
サーバ１００の送受信部１２０は、同期したデータ放送及び広告放送をそれぞれ、ＶＯＤ端末機ＶＴ及び移動通信端末機ＭＴｉに伝送する（ステップＳ２４５、ステップＳ２４６）。このように、本発明の実施形態による広告放送及びシステムによれば、データ放送を通じて提供される商品についての情報を移動通信端末機のユーザ（消費者）が容易に獲得することができて、広告効果を高めうる。また、ＶＯＤ端末機ではないＶＯＤ端末機と連関する移動通信端末機に広告放送を伝送することによって、広告が挿入されることによって放送内容が断絶され、放送画面の一部を広告が占有することを防止して、データ放送視聴の妨害が発生しないようにすることができる。
【００３５】
次いで、図１及び図２を参照すると、サーバ１００は、広告放送を受信する移動通信端末機のユーザが、広告放送に含まれた商品を購買しようとする場合、当該商品に対する決済サービスを提供することができる（ステップＳ２６０）。以下、本発明の広告方法及びシステムによる商品の購買及び決済方法について説明する。
【００３６】
移動通信端末機のユーザは、移動通信端末機で再生されている広告放送画面にディスプレイされる商品を購買しようとする場合、当該商品についての購買要請信号及び決済情報を、移動通信端末機ＭＴｉを通じてサーバ１００に伝送することができる（ステップＳ２６５）。サーバ１００の決済部１８０は、決済情報を用いて購買要請信号に対応する商品の代金を決済することができる（ステップＳ２６６）。この際、決済部１８０は、外部の決済システムＰＳを利用できる。本発明の実施形態による広告方法及びシステムでの決済方法は、一般的なモバイル決済方法と同一であるので、これについてのさらに詳しい説明は省略する。
【００３７】
前記のように、移動通信端末機にディスプレイされる商品をすぐ購買することもできるが、移動通信端末機のユーザは、現在ディスプレイされる商品についての情報をサーバ１００に臨時に保存して追って購買するか否かを決定することができる。この際、移動通信端末機は、当該商品についての臨時保存要請信号をサーバ１００に伝送することができる（ステップＳ２６１）。制御部１４０は、送受信部１２０を通じて受信された臨時保存要請信号に応答して、当該商品についての商品情報を商品情報保存部１６８に保存することができる（ステップＳ２６２）。保存された商品情報は、移動通信端末機のユーザの要請によって移動通信端末機に伝送されるか、またはインターネットなどを通じて提供される。
【００３８】
また、サーバ１００は、広告放送に含まれるあらゆる商品についての商品情報をリスト化して商品情報保存部１６８に保存し（ステップＳ２６３）、商品情報リストを移動通信端末機ＭＴｉに伝送することができる（ステップＳ２６４）。図２には、商品情報リストが、移動通信端末機に伝送されると示しているが、これに限定されるものではなく、インターネットなどを通じて移動通信端末機のユーザが、当該リストを検索することもできる。
【００３９】
商品情報保存部１６８に保存された商品またはリストに含まれる商品に対する購買方法は、前述した通りである。すなわち、送受信部１２０は、商品情報保存部１６８に保存された商品またはリストに含まれる商品全体または一部の商品についての購買要請信号及び決済情報を移動通信端末機ＭＴｉから受信し（ステップＳ２６５）、決済部１８０は、決済情報を用いて購買要請信号に対応する商品の代金を決済することができる（ステップＳ２６６）。
【００４０】
以上、本発明の広告方法及びシステムによる商品の購買及び決済方法について説明した。次いで、本発明の広告方法及びシステムで、広告放送のうち、移動通信端末機のユーザが指定したカテゴリーに属する商品群に対する内容のみを提供する実施形態（ステップＳ２８０）について説明する。
【００４１】
図１及び図２を参照すると、サーバ１００は、移動通信端末機のユーザの関心商品群についての情報を関心商品群保存部１６８に保存することができる（ステップＳ２８１）。この際、移動通信端末機のユーザは、複数個の関心商品群についての情報をサーバに保存することができる。例えば、ユーザＵに対して女性ファッションアイテム（衣服、カバン、靴及びアクセサリーなど）及びインテリアー小品などを関心商品群として保存することができる。
【００４２】
サーバ１００の制御部１４０は、広告放送のうち、ユーザに対して登録された関心商品群に対する内容のみをフィルタリングして、サブ広告放送を生成することができる（ステップＳ２８２）。サブ広告放送は、広告放送と同様にデータ放送と同期し（ステップＳ２８３）、データ放送がＶＯＤ端末機ＶＴに伝送（ステップＳ２８４）される時に、当該ユーザの移動通信端末機に伝送することができる（ステップＳ２８５）。この際、サブ広告放送は、広告放送と同様に、広告放送保存部１６６に保存することができる。
【００４３】
このように、本発明の実施形態による広告方法及びシステムは、ユーザ（消費者）の関心商品に対する広告を集中的に行うことによって、広告効果を極大化することができる。
次いで、図１及び図２を参照すると、本発明の広告放送は、単純に商品に対する広告だけではなく、データ放送の内容と関連した、おいしい店、場所、料理方法及び健康情報のようなコンテンツ情報をさらに含みうる（ステップＳ２９４）。このために、サーバ１００は、別途の保存場所または既に説明された商品情報保存部１６８などに、コンテンツ情報を保存することができる（ステップＳ２９２）。
【００４４】
以上、図面と明細書とで最適の実施形態が開示された。ここで、特定の用語が使われたが、これは、単に本発明を説明するための目的で使われたものであって、意味限定や特許請求の範囲に記載の本発明の範囲を制限するために使われたものではない。したがって、当業者ならば、これより多様な変形及び均等な他実施形態が可能であるという点を理解できるであろう。したがって、本発明の真の技術的保護範囲は、特許請求の範囲の技術的思想によって決定されるべきである。
【産業上の利用可能性】
【００４５】
本発明は、インターネットを利用した放送システム分野に利用されうる。
【図１】
2011530853.tif 000003
【図２】
2011530853.tif 000004
【国際調査報告】
2011530853.tif 000005
2011530853.tif 000006
2011530853.tif 000007
2011530853.tif 000008